(57)【要約】      （修正有）【課題】ＬＥＤランプの光源であるＬＥＤチップの有する高指向性及び低発熱性に着目し、その特性を利用して新規な用途を備えたＬＥＤランプを提供する。【解決手段】放熱体１１の上端面１１ｂにリング溝１１ｅを設け、このリング溝１１ｅに開口端部１３ａをはめ込むとグローブ１３を放熱体１１の上端面１１ｂに着脱可能に取り付けることができる。放熱体１１を傾けても、グローブ１３が放熱体１１から脱落することはない。ＬＥＤチップ１４を点灯しても白熱電球のようにグローブ１３が高温に加熱されることはなく、グローブ１３に手を触れても火傷するおそれはないので、手でもってグローブ１３を簡単に取り替えることができる。そのため、既製品のグローブ１３だけでなく、自作した手作りのグローブ１３を用いることが可能となり、個人が自分自身の趣味趣向に合ったデザインのＬＥＤランプを製作でき、ＬＥＤランプの用途を拡大できる。【選択図】図３
0003175995.tif 000002
【実用新案登録請求の範囲】
【請求項１】
放熱体と、放熱体の一端に取り付けたソケットと、ＬＥＤチップを実装したモジュール基板と、ＬＥＤチップに電力を供給する点灯回路とを備え、モジュール基板を放熱体の他端面に固定し、点灯回路を放熱体内に取り付け、点灯回路とソケットを電気的に接続したＬＥＤランプであって、
放熱体の他端面にグローブの開口端部を係止する係止部を設け、
ＬＥＤチップの発する光を周囲に拡散させる拡散部材を放熱体の他端面に固定して、ＬＥＤチップに対向するように配置し、
グローブを拡散部材に被せたとき前記係止部によってグローブが放熱体の他端面に着脱可能に係止されるようにしたことを特徴とするＬＥＤランプ。
【請求項２】
前記係止部として、前記拡散部材を取り囲むようにリング溝を前記放熱体の他端面に形成し、前記グローブの開口端部をリング溝にはめ込むことによりグローブを放熱体の他端面に着脱可能に係止したことを特徴とする請求項１に記載のＬＥＤランプ。
【請求項３】
前記係止部として、前記拡散部材を取り囲むようにリング状の凸条を前記放熱体の他端面に設け、前記グローブの開口端部をリング状の凸条に被せることによりグローブを放熱体の他端面に着脱可能に係止したことを特徴とする請求項１に記載のＬＥＤランプ。
【請求項４】
前記係止部として、前記拡散部材を取り囲むようにリング状の凸条を前記放熱体の他端面に設け、前記グローブの開口端部の外周部をリング状の凸条に当接することによりグローブを放熱体の他端面に着脱可能に係止したことを特徴とする請求項１に記載のＬＥＤランプ。
【考案の詳細な説明】
【技術分野】
【０００１】
本考案は、ＬＥＤチップを光源として内蔵するＬＥＤランプに関する。
【背景技術】
【０００２】
近時、消費電力の大きい白熱電球に代えて、消費電力の少ないＬＥＤを光源として用いるＬＥＤランプの需要が高まっている。
一般に、この種のＬＥＤランプは熱伝導性に優れたアルミニウムなどの金属性放熱体と、放熱体の一端に取り付けたソケットと、半球状の頂部を有し、放熱体の他端に装着した透光性のガラス又はプラスチック材から成るグローブと、ＬＥＤチップを実装したモジュール基板と、ＬＥＤチップに電力を供給する点灯回路とを備え、モジュール基板と点灯回路を放熱体に取り付けてＬＥＤチップをグローブで覆い、点灯回路とソケットを電気的に接続した構成を備えている。
【先行技術文献】
【特許文献】
【０００３】
【特許文献１】特開２０１１−７０９７２号公報
【特許文献２】特開２０１１−８２１３２号公報
【特許文献３】特開２０１１−９０８２８号公報
【特許文献４】特開２０１１−９１０３３号公報
【考案の概要】
【考案が解決しようとする課題】
【０００４】
ところで、白熱電球の光源であるフィラメントの発する光は周囲に拡散し、周囲を均等に照らすが、ＬＥＤランプの光源として用いられるＬＥＤチップの発する光は高い指向性を有し、前方の狭い領域を強い光で照射するという特性を備えている。
また、白熱電球のフィラメントは点灯時２０００度の高温に達することもあり、フィラメントを覆うグローブの表面が熱せられて、高温になり、これに触ると火傷するおそれがある。
これに対し、ＬＥＤランプの光源であるＬＥＤチップは点灯時の発熱量がフィラメントに比べると極めて低い。そのため点灯時、放熱体でもその温度はせいぜい数十度程度に上昇するだけであり、白熱電球に比べ点灯時におけるグローブの温度は触れることのできる程度にしかならないという特性がある。
【０００５】
本考案はＬＥＤランプの光源であるＬＥＤチップの有する高指向性及び低発熱性に着目し、その特性を利用して新規な用途を備えたＬＥＤランプを提供することを目的とする。
【課題を解決するための手段】
【０００６】
請求項１に記載の考案は、放熱体と、放熱体の一端に取り付けたソケットと、ＬＥＤチップを実装したモジュール基板と、ＬＥＤチップに電力を供給する点灯回路とを備え、モジュール基板を放熱体の他端面に固定し、点灯回路を放熱体内に取り付け、点灯回路とソケットを電気的に接続したＬＥＤランプであって、
放熱体の他端面にグローブの開口端部を係止する係止部を設け、
ＬＥＤチップの発する光を周囲に拡散させる拡散部材を放熱体の他端面に固定して、ＬＥＤチップに対向するように配置し、
グローブを拡散部材に被せたとき前記係止部によってグローブが放熱体の他端面に着脱可能に係止されるようにしたことを特徴とする。
【０００７】
請求項２に記載の考案は、請求項１に記載のＬＥＤランプにおいて、前記係止部として、前記拡散部材を取り囲むようにリング溝を前記放熱体の他端面に形成し、前記グローブの開口端部をリング溝にはめ込むことによりグローブを放熱体の他端面に着脱可能に係止したことを特徴とする。
【０００８】
請求項３に記載の考案は、請求項１に記載のＬＥＤランプにおいて、前記係止部として、前記拡散部材を取り囲むようにリング状の凸条を前記放熱体の他端面に設け、前記グローブの開口端部をリング状の凸条に被せることによりグローブを放熱体の他端面に着脱可能に係止したことを特徴とする。
【０００９】
請求項４に記載の考案は、請求項１に記載のＬＥＤランプにおいて、前記係止部として、前記拡散部材を取り囲むようにリング状の凸条を前記放熱体の他端面に設け、前記グローブの開口端部の外周部をリング状の凸条に当接することによりグローブを放熱体の他端面に着脱可能に係止したことを特徴とする。
【考案の効果】
【００１０】
請求項１に記載の考案によれば、拡散部材によってＬＥＤの発する光の高指向性が緩和されるので、白熱電球のようにＬＥＤランプの周囲を均等に照明できる。そして、ＬＥＤチップや拡散部材を固定した放熱体の他端面に係止部を設け、この係止部によってグローブを放熱体の他端面に着脱可能に係止できるので、既製品のグローブだけでなく、自作した手作りのグローブを用いることが可能となり、個人が自分自身の趣味趣向に合ったデザインのＬＥＤランプを製作でき、ＬＥＤランプの用途を拡大できる。
【００１１】
また、本考案は、ＬＥＤチップを点灯しても白熱電球のようにグローブが高温に加熱されることはないので、グローブに手を触れても火傷するおそれはない。このため、手でもってグローブを簡単に取り替えることができる。
【００１２】
請求項２に記載の考案によれば、リング溝にグローブの開口端部をはめ込んでグローブを放熱体の他端面に着脱可能に係止できる。
本考案によれば、係止部として簡単な構造のリング溝を形成したので、低コストでＬＥＤランプの用途を拡大できる。
【００１３】
請求項３に記載の考案によれば、リング状の凸条にグローブの開口端部を被せることで、グローブを放熱体の他端面に着脱可能に係止できる。
また、請求項４に記載の考案によれば、グローブの開口端部の外周部をリング状の凸条に当接することによりグローブを放熱体の他端面に着脱可能に係止できる。
請求項３および請求項４に記載の考案によれば、係止部として簡単な構造のリング状の凸条を形成したので、低コストでＬＥＤランプの用途を拡大できる。
【図面の簡単な説明】
【００１４】
【図１】本考案の第１実施例に係るＬＥＤランプを示す断面図である。
【図２】同実施例に係るＬＥＤランプを示す斜視図である。
【図３】同実施例に係るＬＥＤランプにグローブを装着した状態を示す正面図である。
【図４】本考案の第２実施例に係るＬＥＤランプを示す斜視図である。
【図５】本考案の第３実施例に係るＬＥＤランプを示す斜視図である。
【図６】本考案の第４実施例に係るＬＥＤランプを示す斜視図である。
【図７】本考案の第５実施例に係るＬＥＤランプを示す斜視図である。
【実施例１】
【００１５】
以下に本考案を図面に基づき説明するに、図１及び図２には本考案の第１実施例に係るＬＥＤランプ１０が示されている。当該ＬＥＤランプ１０は熱伝導性と放熱性に優れたアルミニウム等の金属材料から成る放熱体１１と、放熱体１１の下端部に取り付けられた、国際規格に則った形状、寸法を有するソケット１２を備えている。
【００１６】
放熱体１１は逆円錐台形の外観を有し、外周部には表面積を増加して放熱効果を高めるため多数のフィン１１ａが形成されている。放熱体１１の上端面１１ｂには、ＬＥＤチップ１４を実装したモジュール基板１５が固定されている。また放熱体１１の内部には、ＬＥＤチップ１４に電力を供給する点灯回路１６が装着され、モジュール基板１５と点灯回路１６がリード線１７で接続されている。そして、点灯回路１６とソケット１２がリード線（図示略）で電気的に接続されている。
【００１７】
放熱体１１の上端面１１ｂに固定したモジュール基板１５には柱状の拡散部材１８が立設され固定されている。拡散部材１８は先端部に反射部１８ａが形成されている。反射部１８ａは複数の反射面から成り、逆多角錐の形状に形成されている。拡散部材１８の基端部には凹部１８ｂが形成され、この凹部１８ｂをＬＥＤチップ１４に被せるようにして拡散部材１８がモジュール基板１５に取付けられている。凹部１８ｂに対向配置したＬＥＤチップ１４が発する光は凹部１８ｂから拡散部材１８中に入射し、反射部１８ａの反射面で反射されて、周囲に拡散する。
【００１８】
放熱体１１の上端面１１ｂには大径と小径の２本のリング状凸条１１ｃ，１１ｄが設けられている。２本の凸条１１ｃ，１１ｄは拡散部材１８を取り囲むように、拡散部材１８を中心とする同心円状に配置されている。そして、両凸条１１ｃ，１１ｄによってリング溝１１ｅが区画形成されている。
【００１９】
第１実施例に係るＬＥＤランプ１０の構造は以上の通りであって、図３に示すように、放熱体１１の上端面にガラス製のグローブ１３を装着して使用する。このガラス製のグローブ１３はリング溝１１ｅと略同径の開口端部１３ａを有するように成形され、リング溝１１ｅに開口端部１３ａをはめ込むようにして放熱体１１の上端面１１ｂに着脱可能に取付けられる。
【００２０】
ＬＥＤチップ１４を点灯すると、拡散部材１８によってＬＥＤチップ１４の発する光が拡散され、白熱電球のようにＬＥＤランプ１０の周囲を均等に照明できる。
【００２１】
第１実施例に係るＬＥＤランプ１０によれば、放熱体１１の上端面１１ｂにリング溝１１ｅを設け、このリング溝１１ｅに開口端部１３ａをはめ込んでグローブ１３を放熱体１１の上端面１１ｂに着脱可能に取り付けることができるので、放熱体１１を傾けても、グローブ１３が放熱体１１から脱落することはない。そして、ＬＥＤチップ１４を点灯しても白熱電球のようにグローブ１３が高温に加熱されることはなく、グローブ１３に手を触れても火傷するおそれはないので、手でもってグローブ１３を簡単に取り替えることができる。そのため、既製品のグローブ１３だけでなく、自作した手作りのグローブ１３を用いることが可能となり、個人が自分自身の趣味趣向に合ったデザインのＬＥＤランプ１０を製作でき、ＬＥＤランプ１０の用途を拡大できる。
なお、リング溝１１ｅにグローブ１３の開口端部１３ａをはめ込んだとき、開口端部１３ａと両凸条１１ｃ，１１ｄ間にある程度のクリアランスが生じるように溝幅を設定すると、高い寸法精度でグローブ１３を製作しなくても放熱体１１に装着できるので、自作のグローブ１３を装着し易くなる。
【実施例２】
【００２２】
本考案の第２実施例に係るＬＥＤランプ２０を図４に示す。第１実施例に係るＬＥＤランプ１０では２本のリング凸条１１ｃ，１１ｄでリング溝１１ｅを区画形成したが、本実施例では第１実施例に係るＬＥＤランプ１０の大径のリング凸条１１ｃを省略し、小径のリング凸条１１ｄだけを放熱体１１の上面１１ｂに設けている。
なお、他の構成は第１実施例に係るＬＥＤランプ１０と同じであるので、同一の構成要素に同一の符号を付して説明を省略する。
【００２３】
第２実施例に係るＬＥＤランプ２０では、グローブ（図示略）の開口端部１３ａを小径のリング凸条１１ｄに被せるように放熱体１１の上端面１１ｂに載置することにより、グローブ１３を放熱体１１に設置する。
第２実施例に係るＬＥＤランプ２０によれば、放熱体１１を傾けても、グローブ１３の開口端部１３ａの内周部が小径のリング凸条１１ｄに係止されるので、放熱体１１から脱落することはない。
【実施例３】
【００２４】
本考案の第３実施例に係るＬＥＤランプ３０を図５に示す。第２実施例に係るＬＥＤランプ２０では小径のリング凸条１１ｄを放熱体１１の上面１１ｂに設たが、第３実施例に係るＬＥＤランプ３０では、曲率半径が小径のリング凸条１１ｄと同じ円弧片１１ｆを放熱体１１の上端面１１ｂの３箇所に設けている。
なお、他の構成は第２実施例に係るＬＥＤランプ２０と同じであるので、同一の構成要素に同一の符号を付して説明を省略する。
【００２５】
第３実施例に係るＬＥＤランプ３０では、グローブ（図示略）の開口端部１３ａを３個の円弧片１１ｆに被せるように放熱体１１の上端面１１ｂに載置することにより、グローブ１３を放熱体１１に設置する。
第３実施例に係るＬＥＤランプ３０によれば、放熱体１１を傾けても、グローブ１３の開口端部１３ａの内周部が円弧片１１ｆに係止されるので、放熱体１１から脱落することはない。
【実施例４】
【００２６】
本考案の第４実施例に係るＬＥＤランプ４０を図６に示す。当該ＬＥＤランプ４０の放熱体１１の上面１１ｂには一本のリング凸条１１ｇが上面１１ｂの外周部に沿って設けられ、上面１１ｂの外壁面を形成している。
なお、他の構成は第１実施例に係るＬＥＤランプ１０と同じであるので、同一の構成要素に同一の符号を付して説明を省略する。
【００２７】
第４実施例に係るＬＥＤランプ４０では、グローブ１３の開口端部の外周部がリング状凸条１１ｇに当接するように、グローブ１３を放熱体１１の上面１１ｂに載置する。載置したグローブ１３は開口端部の外周部がリング凸条１１ｇに当接して上面に係止される。
【実施例５】
【００２８】
本考案の第５実施例に係るＬＥＤランプ５０を図７に示す。第１実施例に係るＬＥＤランプ１０では２本のリング凸条１１ｃ，１１ｄでリング溝１１ｅを形成したが、第５実施例に係るＬＥＤランプ５０では、放熱体１１の上面１１ｂにリング溝１１ｈを刻設して形成している。
【００２９】
本実施例に係るＬＥＤランプ５０では、第１実施例に係るＬＥＤランプ１０と同様にしてグローブ１３の開口端部をリング溝１１ｈにはめ込んでグローブ１３を放熱体１１の上面１１ｂに係止できる。
本実施例に係るＬＥＤランプ５０によれば、放熱体１１の上面１１ｂに凸条が設けられていないので、凸条が欠けたりするおそれがない。
【００３０】
上記第１、第２、第３、第４、  第５実施例に係るＬＥＤランプ１０，２０，３０，４０，５０では、グローブ１３を放熱体１１の上端面１１ｂに載置し、それぞれリング溝１１ｅ、リング凸条１１ｄ、１１ｇ、円弧片１１ｆでグローブ１３を着脱可能に係止しているが、グローブ１３を交換しない場合は、グローブ１３の開口端部を接着剤でリング溝１１ｅ、リング凸条１１ｄ、１１ｇ、円弧片１１ｆに接着して放熱体１１の上端面１１ｂに固定することもできる。
【符号の説明】
【００３１】
１０，２０，３０，４０，５０…ＬＥＤランプ
１１…放熱体
１１ｂ…上端面
１１ｃ，１１ｄ，１１ｇ…リング状凸条
１１ｅ，１１ｈ…リング溝
１１ｆ…円弧片
１２…ソケット
１３…グローブ
１３ａ…開口端部
１３ｂ…レンズ部
１４…ＬＥＤチップ
１５…モジュール基板
１６…点灯回路
１８…拡散部材
【図１】
0003175995.tif 000003
【図２】
0003175995.tif 000004
【図３】
0003175995.tif 000005
【図４】
0003175995.tif 000006
【図５】
0003175995.tif 000007
【図６】
0003175995.tif 000008
【図７】
0003175995.tif 000009